(57)【要約】【課題】取付座の剥離を抑制可能な搬送ベルトを提供する。【解決手段】ゴム系材料を主材料としたベルト本体８に、平面的に見て略矩形状の鋼板で且つローラアッセンブリ１２が装着される取付座９を、アッセンブリ装着面１４が露出するように埋め込み、取付座９の外縁全周を取り囲む保持部分１５を形成し、更に、保持部分１５の周囲全域に凹陥部１６を形成して、ベルト本体８が湾曲する際に保持部分１５に生じる伸縮を凹陥部１６により緩和する。【選択図】        図１
2004292118.tif 000002
【特許請求の範囲】
【請求項１】
弾力性材料を主材料としたベルト本体に、当該主材料よりも剛性が高い材料で形成され且つ付属部品を装着可能な取付座を、その部品装着面が露出するように埋め込んで、弾性部材よりなり且つ取付座外縁全周を取り囲む保持部分を形成し、更に、保持部分の周囲に取付座の部品装着面に対してくぼむ凹陥部を形成したことを特徴とする搬送ベルト。
【請求項２】
凹陥部を保持部分の周囲全域にわたって形成した請求項１に記載の搬送ベルト。
【請求項３】
凹陥部を溝状に形成した請求項１に記載の搬送ベルト。
【請求項４】
凹陥部のくぼみ量を、ベルト本体への取付座の部材埋込量に等しく設定した請求項１乃至請求項３のいずれかに記載の搬送ベルト。
【請求項５】
保持部分及び凹陥部の境界を、凹湾曲面状に形成した請求項１乃至請求項４のいずれかに記載の搬送ベルト。
【請求項６】
弾力性材料を主材料としたベルト本体に、当該主材料よりも剛性が高い材料で形成され且つ付属部品を装着可能な取付座を、その部品装着面がベルト本体の反対側を向くように接着し、更に、取付座接着部分の周囲全域にわたってくぼむ凹陥部を形成したことを特徴とする搬送ベルト。
【請求項７】
弾力性材料を主材料としたベルト本体に、当該主材料よりも剛性が高い材料で形成され且つ付属部品を装着可能な取付座を、その部品装着面がベルト本体の反対側を向くように接着し、更に、取付座接着部分の周囲に溝状の凹陥部を形成したことを特徴とする搬送ベルト。
【請求項８】
取付座接着部分及び凹陥部の境界を、凹湾曲面状に形成した請求項６または請求項７のいずれかに記載の搬送ベルト。
【発明の詳細な説明】
【０００１】
【発明の属する技術分野】
本発明は搬送ベルトに関するものである。
【０００２】
【従来の技術】
動く歩道は、多数の利用者を連続的に輸送するのに適した設備であり、種々の交通機関のターミナルや公共施設などの通路に設置されている。
【０００３】
図７は従来の動く歩道の一例である（例えば、特許文献１参照）。
【０００４】
この動く歩道では、ゴム系材料などの弾力性材料を主材料とした無端状の搬送ベルト１を、搬送開始位置と搬送完了位置のそれぞれに水平に枢支したプーリ２に巻き掛けている。
【０００５】
搬送開始位置と搬送完了位置の間には、平面的に見て直線状に延びるキャリヤ側移動経路で搬送ベルト１の左右縁部の下面に当接するようにベルト長手方向に並んだ複数の支持ローラ３と、キャリヤ側移動経路の各プーリ２近傍箇所で搬送ベルト１の下面に当接するベンドプーリ４と、キャリヤ側移動経路の真下に位置するリターン側移動経路の各プーリ２近傍箇所で搬送ベルト１の下面に当接するベンドプーリ５とが設けられている。
【０００６】
キャリヤ側移動経路の左右両側方には、搬送開始位置から搬送完了位置までの全長にわたって欄干（側壁）６が設けられており、当該欄干６は、搬送ベルト１と等速度で周回する手摺ベルト７を装備している。
【０００７】
上記の搬送ベルト１は所定のプーリ２の回転によって、キャリヤ側移動経路、搬送完了位置、リターン側移動経路、及び搬送開始位置の順で周回して利用者を輸送する。
【０００８】
【特許文献１】
特開平０９−３０１６６３号公報
【０００９】
【発明が解決しようとする課題】
近年、動く歩道の設置場所に応じて、平面的に見た搬送ベルト１の移動経路を緩やかに曲った形状に設定することが検討されている。
【００１０】
搬送ベルト１の移動経路を曲った形状とするためには、例えば、搬送ベルト１の移動経路に沿ってガイドレールを敷設し、該ガイドレールの側面を転動可能な複数のローラを搬送ベルト１の長手方向に所定の間隔で枢支して、搬送ベルト１を湾曲させる必要がある。
【００１１】
しかしながら、ローラなどの付属部品を装着するために、例えば、ゴム系材料を主材料とする搬送ベルト１に金属製の取付座を埋め込んだ場合、搬送ベルト１がプーリ２やベンドプーリ４，５の外周面に接して湾曲するときにゴム系材料に過大な伸縮が生じ、この繰り返しにより、前記の取付座が搬送ベルト１から剥離してしまう。
【００１２】
本発明は上述した実情に鑑みてなしたもので、取付座の剥離を抑制可能な搬送ベルトを提供することを目的としている。
【００１３】
【課題を解決するための手段】
上記目的を達成するため、請求項１に記載の搬送ベルトは、弾力性材料を主材料としたベルト本体に、当該主材料よりも剛性が高い材料で形成され且つ付属部品を装着可能な取付座を、その部品装着面が露出するように埋め込んで、弾性部材よりなり且つ取付座外縁全周を取り囲む保持部分を形成し、更に、保持部分の周囲に取付座の部品装着面に対してくぼむ凹陥部を形成している。
【００１４】
請求項２に記載の搬送ベルトは、凹陥部を保持部分の周囲全域にわたって形成している。
【００１５】
請求項３に記載の搬送ベルトは、凹陥部を溝状に形成している。
【００１６】
請求項４に記載の搬送ベルトは、凹陥部のくぼみ量を、ベルト本体への取付座の部材埋込量に等しく設定している。
【００１７】
請求項５に記載の搬送ベルトは、保持部分及び凹陥部の境界を、凹湾曲面状に形成している。
【００１８】
請求項６に記載の搬送ベルトは、弾力性材料を主材料としたベルト本体に、当該主材料よりも剛性が高い材料で形成され且つ付属部品を装着可能な取付座を、その部品装着面がベルト本体の反対側を向くように接着し、更に、取付座接着部分の周囲全域にわたってくぼむ凹陥部を形成している。
【００１９】
請求項７に記載の搬送ベルトは、弾力性材料を主材料としたベルト本体に、当該主材料よりも剛性が高い材料で形成され且つ付属部品を装着可能な取付座を、その部品装着面がベルト本体の反対側を向くように接着し、更に、取付座接着部分の周囲に溝状の凹陥部を形成している。
【００２０】
請求項８に記載の搬送ベルトは、取付座接着部分及び凹陥部の境界を、凹湾曲面状に形成している。
【００２１】
請求項１に記載の搬送ベルトにおいては、ベルト本体が湾曲する際に、取付座の外縁全周の保持部分に生じる伸縮を、その周囲の凹陥部により緩和する。
【００２２】
請求項２に記載の搬送ベルトにおいては、ベルト本体が湾曲する際に、取付座の外縁全周の保持部分に生じる伸縮を、その周囲全域の凹陥部により緩和する。
【００２３】
請求項３に記載の搬送ベルトにおいては、ベルト本体が湾曲する際に、取付座の外縁全周の保持部分に生じる伸縮を、その周囲の溝状の凹陥部により緩和する。
【００２４】
請求項４に記載の搬送ベルトにおいては、凹陥部のくぼみ量が、取付座の部材埋込量に等しくなるようにして、ベルト本体湾曲時に保持部分に生じる伸縮を、効果的に緩和する。
【００２５】
請求項５に記載の搬送ベルトにおいては、凹湾曲面状に形成した境界により、ベルト本体湾曲時に保持部分と凹陥部の間の応力集中を回避する。
【００２６】
請求項６に記載の搬送ベルトにおいては、ベルト本体が湾曲する際に、取付座接着部分に生じる伸縮を、その周囲全域の凹陥部により緩和する。
【００２７】
請求項７に記載の搬送ベルトにおいては、ベルト本体が湾曲する際に、取付座接着部分に生じる伸縮を、その周囲の溝状の凹陥部により緩和する。
【００２８】
請求項８に記載の搬送ベルトにおいては、凹湾曲面状に形成した境界により、ベルト本体湾曲時に取付座接着部分と凹陥部の間の応力集中を回避する。
【００２９】
【発明の実施の形態】
以下、本発明の実施の形態を、図示例とともに説明する。
【００３０】
図１及び図２は本発明の搬送ベルトの実施の形態の第１の例を示すものである。
【００３１】
この搬送ベルトは、無端状のベルト本体８と、多数の取付座９を備えている。
【００３２】
ベルト本体８は、ゴム系材料を主材料としており、利用者が搭乗する一方の面（外周面）には、ベルト周回方向へ延びる複数の溝１０がベルト幅方向に等間隔に形成されている。
【００３３】
また、ベルト本体８内部には、ベルト幅方向へ延びるワイヤ１１が埋め込まれており、当該ワイヤ１１が搬送ベルトの横剛性を確保する。
【００３４】
取付座９は、平面的に見て略矩形状の鋼板であり、ローラアッセンブリ（付属部品）１２を締結するためのねじ孔１３を有している。
【００３５】
これらの取付座９は、ベルト周回方向に等間隔に並び且つアッセンブリ装着面（部品装着面）１４がベルト本体８の他方の面（内周面）から露出するように、ベルト本体８に埋め込まれ、アッセンブリ装着面１４の外縁全周を取り囲む保持部分１５がゴム系材料により形成されている。
【００３６】
更に、溝１０を除外したベルト本体８の厚み分布は、保持部分１５よりもその周囲全域が均一に薄く且つベルト本体８の他方の面にアッセンブリ装着面１４に対してくぼんだ凹陥部１６を形成するように設定され、アッセンブリ装着面１４と保持部分１５が、ベルト周回経路の内方側へ突出した状態になっている。
【００３７】
凹陥部１６のくぼみ量ｄは、ベルト本体８への取付座９の部材埋込量（図１では取付座９の厚みに相当）に等しく設定している。
【００３８】
これに加えて、保持部分１５と凹陥部１６との境界は凹湾曲面状に形成され、応力集中を低減するようになっている。
【００３９】
ローラアッセンブリ１２は、前記の取付座９と同様な形状で且つねじ孔１３に応じた位置に貫通孔１７を有する台盤１８と、該台盤１８に対して直交するように固着した支持軸１９と、該支持軸１９に軸受２０を介して枢支したローラ２１と、貫通孔１７に挿通され且つ取付座９のねじ孔１３に螺合するボルト２２などで構成されている。
【００４０】
なお、図中、２３はガイドレール、２４は支持ローラを表わしている。
【００４１】
ガイドレール２３には山形鋼を利用しており、その一方のフランジ部にローラ２１の転動面が当接するように、搬送ベルトのキャリヤ側移動経路とリターン側移動経路の所定箇所に敷設されている。
【００４２】
支持ローラ２４は、その転動面がベルト本体８の他方の面、すなわち、無端状のベルト本体８の内周面の左右縁部に当接するように、搬送ベルトのキャリヤ側移動経路に配置されている。
【００４３】
図１及び図２に示す搬送ベルトにおいては、取付座９の外縁全周に連なる保持部分１５の周囲全域に凹陥部１６を、くぼみ量ｄが取付座９の厚みと等しくなるように形成しているので、ベルト本体８がプーリ２やベンドプーリ４，５（図７参照）などの回転体の外周面に接して湾曲するときに、保持部分１５に生じようとする伸縮が効果的に緩和され、ベルト本体８からの取付座９の剥離を抑制することが可能となる。
【００４４】
また、保持部分１５と凹陥部１６との境界を凹湾曲面状に形成したので、当該箇所での応力集中が低減され、ゴム系材料の破断防止を図ることができる。
【００４５】
図３及び図４は本発明の搬送ベルトの実施の形態の第２の例を示すものであり、図中、図１及び図２と同一の符号を付した部分は同一物を表わしている。
【００４６】
この搬送ベルトでは、ベルト周回方向に等間隔に並び且つアッセンブリ装着面１４がベルト本体８の他方の面（内周面）から露出するように、ベルト本体８に埋め込んだ取付座９の外縁全周を取り囲む保持部分１５を、ゴム系材料によって形成したうえ、当該保持部分１５の周囲に溝状の凹陥部２５を形成している。
【００４７】
凹陥部２５のくぼみ量ｄは、ベルト本体８への取付座９の部材埋込量（図３では取付座９の厚みに相当）に等しく設定している。
【００４８】
これに加えて、凹陥部２５の横断面は凹湾曲面状に形成され、応力集中を低減するようになっている。
【００４９】
図３及び図４に示す搬送ベルトにおいては、取付座９の外縁全周に連なる保持部分１５の周囲にくぼみ量ｄが取付座９の厚みと等しい溝状の凹陥部２５を形成しているので、ベルト本体８が湾曲するときに、保持部分１５に生じようとする伸縮が効果的に緩和され、ベルト本体８からの取付座９の剥離を抑制することが可能となる。
【００５０】
また、凹陥部２５の横断面を凹湾曲面状に形成したので、当該箇所の応力集中が低減され、ゴム系材料の破断防止を図ることができる。
【００５１】
図５は本発明の搬送ベルトの実施の形態の第３の例を示すものであり、図中、図１乃至図４と同一の符号を付した部分は同一物を表わしている。
【００５２】
この搬送ベルトは、無端状のベルト本体８内周面に多数の取付座９を、これらのアッセンブリ装着面１４がベルト本体８の反対側を向くように接着し、更に、取付座９接着部分の周囲全域にわたってくぼむ凹陥部２６を形成している。
【００５３】
すなわち、ベルト本体８がプーリ２やベンドプーリ４，５（図７参照）などの回転体の外周面に接して湾曲する際に、取付座９接着部分に生じようとする伸縮が前記の凹陥部２６によって効果的に緩和され、ベルト本体８からの取付座９の剥離を抑制することが可能となる。
【００５４】
また、取付座９接着部分と凹陥部２６との境界を凹湾曲面状に形成したので、当該箇所での応力集中が低減され、ゴム系材料の破断防止を図ることができる。
【００５５】
図６は本発明の搬送ベルトの実施の形態の第４の例を示すものであり、図中、図１乃至図５と同一の符号を付した部分は同一物を表わしている。
【００５６】
この搬送ベルトは、無端状のベルト本体８内周面に多数の取付座９を、これらのアッセンブリ装着面１４がベルト本体８の反対側を向くように接着し、更に、取付座９接着部分の周囲に溝状の凹陥部２７を形成している。
【００５７】
すなわち、ベルト本体８がプーリ２やベンドプーリ４，５（図７参照）などの回転体の外周面に接して湾曲する際に、取付座９接着部分に生じようとする伸縮が前記の凹陥部２７によって効果的に緩和され、ベルト本体８からの取付座９の剥離を抑制することが可能となる。
【００５８】
また、取付座９接着部分と凹陥部２７との境界を凹湾曲面状に形成したので、当該箇所での応力集中が低減され、ゴム系材料の破断防止を図ることができる。
【００５９】
なお、本発明の搬送ベルトは、上述した実施の形態のみに限定されるものではなく、ローラアッセンブリ以外の部品を取付座に装着すること、複数列の取付座をベルト本体に設ける構成とすること、部品装着面がベルト本体外周面側に露出するように取付座をベルト本体に埋め込んだ構成とすること、搬送ベルトを物品搬送装置に適用すること、その他、本発明の要旨を逸脱しない範囲において変更を加え得ることは勿論である。
【００６０】
【発明の効果】
以上述べたように、本発明の搬送ベルトによれば、下記のような優れた効果を奏し得る。
【００６１】
（１）請求項１に記載の搬送ベルトにおいては、ベルト本体が湾曲する際に、取付座の外縁全周の保持部分に生じる伸縮を、その周囲に形成した凹陥部により緩和するので、ベルト本体からの取付座を抑制することができる。
【００６２】
（２）請求項２に記載の搬送ベルトにおいては、ベルト本体が湾曲する際に、取付座の外縁全周の保持部分に生じる伸縮を、その周囲全域に形成した凹陥部により緩和するので、ベルト本体からの取付座の剥離を抑制することができる。
【００６３】
（３）請求項３に記載の搬送ベルトにおいては、ベルト本体が湾曲する際に、取付座の外縁全周の保持部分に生じる伸縮を、その周囲に形成した溝状の凹陥部により緩和するので、ベルト本体からの取付座の剥離を抑制することができる。
【００６４】
（４）請求項４に記載の搬送ベルトにおいては、凹陥部のくぼみ量を、取付座の部材埋込量に等しくなるようにしているので、ベルト本体湾曲時に保持部分に生じる伸縮を、効果的に緩和することができる。
【００６５】
（５）請求項５に記載の搬送ベルトにおいては、凹湾曲面状に形成した境界により、ベルト本体湾曲時に保持部分と凹陥部の間の応力集中が回避され、弾力性材料の破断防止を図ることができる。
【００６６】
（６）請求項６に記載の搬送ベルトにおいては、ベルト本体が湾曲する際に、取付座接着部分に生じる伸縮を、その周囲全域に形成した凹陥部により緩和するので、ベルト本体からの取付座の剥離を抑制することができる。
【００６７】
（７）請求項７に記載の搬送ベルトにおいては、ベルト本体が湾曲する際に、取付座接着部分に生じる伸縮を、その周囲に形成した溝状の凹陥部により緩和するので、ベルト本体からの取付座の剥離を抑制することができる。
【００６８】
（８）請求項８に記載の搬送ベルトにおいては、凹湾曲面状に形成した境界により、ベルト本体湾曲時に取付座接着部分と凹陥部の間の応力集中が回避され、弾力性材料の破断防止を図ることができる。
【図面の簡単な説明】
【図１】本発明の搬送ベルトの実施の形態の第１の例を示す部分横断面図である。
【図２】図１に関連するベルト本体を周回経路の内方側から見た部分図である。
【図３】本発明の搬送ベルトの実施の形態の第２の例を示す部分横断面図である。
【図４】図３に関連するベルト本体を周回経路の内方側から見た部分図である。
【図５】本発明の搬送ベルトの実施の形態の第３の例を示す部分横断面図である。
【図６】本発明の搬送ベルトの実施の形態の第４の例を示す部分横断面図である。
【図７】動く歩道の一例を示す概念図である。
【符号の説明】
８    ベルト本体
９    取付座
１２  ローラアッセンブリ（付属部品）
１４  アッセンブリ装着面（部品装着面）
１５  保持部分
１６  凹陥部
２５  凹陥部
２６  凹陥部
２７  凹陥部
ｄ    くぼみ量
【図１】
2004292118.tif 000003
【図２】
2004292118.tif 000004
【図３】
2004292118.tif 000005
【図４】
2004292118.tif 000006
【図５】
2004292118.tif 000007
【図６】
2004292118.tif 000008
【図７】
2004292118.tif 000009